(57)【要約】【課題】部品点数や組み立て工数が削減され、しかも、プッシュつまみとパネルとの衝突音が発生くないプッシュつまみ３の取付構造を提供する。【解決手段】頭部３ａの下面にスイッチ作動ボス３ｃが形成され、頭部３ａの下部周囲にフランジ３ｂが形成され、前記頭部３ａがパネル１の穴１ａから突出するようにメンブレンシート４で付勢されるプッシュつまみ３の取付構造において、前記プッシュつまみ３のフランジ３ｂ周囲を囲む筒状部４ｂを前記メンブレンシート４に設け、前記筒状部４ｂの上端に形成した板状部４ｃを前記プッシュつまみ３のフランジ３ｂと前記パネル１の穴１ａの縁下面とで挟圧する。【選択図】図１
2009146730.tif 000002
【特許請求の範囲】
【請求項１】
頭部の下面にスイッチ作動ボスが形成され、頭部の下部周囲にフランジが形成され、前記頭部がパネルの穴から突出するように弾性部材で付勢されるプッシュつまみの取付構造において、前記プッシュつまみのフランジ周囲を囲む筒状部を前記弾性部材に設け、前記筒状部の上端に形成した板状部を前記プッシュつまみのフランジと前記パネルの穴の縁下面とで挟圧することを特徴とするプッシュつまみの取付構造。
【請求項２】
頭部の下面にスイッチ作動ボスが形成され、頭部の下部周囲にフランジが形成され、前記頭部がパネルの穴から突出するように弾性部材で付勢されるプッシュつまみの取付構造において、前記プッシュつまみのフランジ周囲を囲む筒状部を前記弾性部材に設け、前記筒状部の上端がパネルの下面で押さえられ、前記筒状部の内面全周に突出形成されたリブを前記プッシュつまみのフランジと前記パネルの穴の縁に形成された凸部とで挟圧することを特徴とするプッシュつまみの取付構造。
【発明の詳細な説明】
【技術分野】
【０００１】
この発明は電子機器に係わり、特に、そのプッシュつまみの取付構造に関する。
【背景技術】
【０００２】
従来のプッシュつまみの取付構造の例を図５および図６により説明する。図５および図６に示す１は操作部前面を覆う樹脂製のパネルであり、樹脂製のプッシュつまみ３の頭部３ａを突出させる穴１ａが形成されている。プッシュつまみ３の頭部３ａの下部周囲にはフランジ３ｂが設けられ、頭部３ａの下面には下方に延びるスイッチ作動ボス３ｃが形成されている。
【０００３】
パネル１内部には図示していないシャーシにプリント基板２とゴム製のメンブレンシート７を重ねて固定している。メンブレンシート７の椀形部７ａの内面にはプリント基板２に形成された対向する２つのランドを導通させる導電膜が貼着されている。椀形部７ａと２つのランドでメンブレンスイッチが構成されている。
【０００４】
椀形部７ａの自然状態は上方に凸形状であり、導電膜は２つのランドから離れメンブレンスイッチはオフとなっている。また、椀形部７ａはプッシュつまみ３のスイッチ作動ボス３ｃを上方に押しており、図５に示すように、プッシュつまみ３のフランジ３ｂはパネル１の穴１ａの周囲下面に当接部Ａで圧接されている。
【０００５】
図５に示す状態からプッシュつまみ３の頭部３ａを指で押し下げると、図６に示すように、メンブレンシート７の椀形部７ａが潰されて導電膜は２つのランドを導通させてメンブレンスイッチはオンとなる。そして、プッシュつまみ３のフランジ３ｂはパネル１の穴１ａの周囲下面から離れる。プッシュつまみ３の頭部３ａから指を放すと、プッシュつまみ３はメンブレンシートの弾力により押し上げられ、プッシュつまみ３は図５に示す位置に戻る。
【０００６】
上記したプッシュつまみの取付構造ではプッシュつまみ３が上昇してパネル１と当接するときに衝突音が発生するという問題があった。また、図６示すプッシュつまみ３を押し込んだ状態でプッシュつまみ３とパネル１の穴１ａの間の隙間からごみが矢印で示すように機器内部に入り込むという問題もあった。
【０００７】
実開平７−１６３３７号公報に開示された押し釦スイッチは、押し釦スイッチのフランジとケース（本願でいうパネルに相当する）との間に不織布を介装している。この押し釦スイッチの取付構造では押し釦スイッチがケースに衝突するときの衝突音は発生しないが、不織布を位置ずれしないように張り付ける等の手間のかかる工程が必要となり、部品点数や組み立て工数が増大する。また、押し釦スイッチとケースとの間からごみが装置内に入り込むという問題があった。
【特許文献１】実開平７−１６３３７号公報、段落００１２、図１
【発明の開示】
【発明が解決しようとする課題】
【０００８】
この発明は上記した点に鑑みてなされたものであって、その目的とするところは、部品点数や組み立て工数が削減され、しかも、プッシュつまみとパネルとの衝突音が発生せず、さらに、プッシュつまみとパネルの穴との間の隙間からごみが装置内に入り込むことが防止されるプッシュつまみの取付構造を提供することにある。
【課題を解決するための手段】
【０００９】
この発明のプッシュつまみの取付構造は、頭部の下面にスイッチ作動ボスが形成され、頭部の下部周囲にフランジが形成され、前記頭部がパネルの穴から突出するように弾性部材で付勢されるプッシュつまみの取付構造において、前記プッシュつまみのフランジ周囲を囲む筒状部を前記弾性部材に設け、前記筒状部の上端に形成した板状部を前記プッシュつまみのフランジと前記パネルの穴の縁下面とで挟圧するものである。
【００１０】
また、この発明のプッシュつまみの取付構造は、頭部の下面にスイッチ作動ボスが形成され、頭部の下部周囲にフランジが形成され、前記頭部がパネルの穴から突出するように弾性部材で付勢されるプッシュつまみの取付構造において、前記プッシュつまみのフランジ周囲を囲む筒状部を前記弾性部材に設け、前記筒状部の上端がパネルの下面で押さえられ、前記筒状部の内面全周に突出形成されたリブを前記プッシュつまみのフランジと前記パネルの穴の縁に形成された凸部とで挟圧するものである。
【発明の効果】
【００１１】
この発明のプッシュつまみの取付構造によれば、部品点数や組み立て工数が削減され、しかも、プッシュつまみとパネルとの衝突音が発生せず、さらに、プッシュつまみとパネルの穴との間の隙間がごみが装置内に入り込むことが防止される
【発明を実施するための最良の形態】
【００１２】
【実施例１】
【００１３】
図１はこの発明の実施例１であるプッシュつまみの取付構造を示す断面図、図２は同プッシュつまみの取付構造の他の状態を示す断面図である。図に示す示す１は操作部前面を覆う樹脂製のパネルであり、樹脂製のプッシュつまみ３の頭部３ａを突出させる穴１ａが形成されている。プッシュつまみ３の頭部３ａの下部周囲にはフランジ３ｂが設けられ、頭部３ａの下面には下方に延びるスイッチ作動ボス３ｃが形成されている。
【００１４】
パネル１内部には図示していないシャーシにプリント基板２とゴム製のメンブレンシート４を重ねて固定している。メンブレンシート４の椀形部４ａの内面にはプリント基板２に形成された対向する２つのランドを導通させる導電膜が貼着されている。椀形部４ａと２つのランドでメンブレンスイッチが構成されている。
【００１５】
椀形部４ａの自然状態は上方に凸形状であり、導電膜は２つのランドから離れメンブレンスイッチはオフとなっている。また、椀形部４ａはプッシュつまみ３のスイッチ作動ボス３ｃを上方に押している。
【００１６】
メンブレンシート４には上方に立ち上がるように、プッシュつまみ３のフランジ３ｂを囲む筒状部４ｂが形成され、筒状部４ｂの上端に内側に延びる板状部４ｃが形成されている。板状部４ｃはパネル１の穴１ａの周囲下面に圧接されている。さらに、上記したようにメンブレンシート４の椀形部４ａで付勢されたプッシュつまみ３のフランジ３ｂはメンブレンシート４の板状部４ｃに圧接されている。
【００１７】
図１に示す状態からプッシュつまみ３の頭部３ａを指で押し下げると、図２に示すように、メンブレンシート４の椀形部４ａが潰されて導電膜は２つのランドを導通させてメンブレンスイッチはオンとなる。そして、プッシュつまみ３のフランジ３ｂはメンブレンシート４の板状部４ｃから離れる。この状態でもメンブレンシート４の板状部４ｃはパネル１の穴１ａの周囲下面に圧接されているのでプッシュつまみ３とパネル１の穴１ａの間の隙間からごみが機器内部に入り込むことが防止される。
【００１８】
フッシュつまみ３の頭部３ａから指を放すと、プッシュつまみ３はメンブレンシートの弾力により押し上げられ、プッシュつまみ３は図１に示す位置に戻る。このときプッシュつまみ３はゴム製のメンブレンシート４の板状部４ｃに衝突するが衝突音は発生しない。メンブレンシート４はゴム製であるので、成形後変形させて型から抜くことができるので、スライド型等を用いることなく安価に製造できる。そして、不織布等を介装させる必要がないため、部品点数および組み立て工数が削減される。
【実施例２】
【００１９】
図３はこの発明の実施例２であるプッシュつまみの取付構造を示す断面図、図４は同プッシュつまみの取付構造の他の状態を示す断面図である。図に示す示す５は操作部前面を覆う樹脂製のパネルであり、樹脂製のプッシュつまみ３の頭部３ａを突出させる穴５ａが形成されている。プッシュつまみ３の頭部３ａの下部周囲にはフランジ３ｂが設けられ、頭部３ａの下面には下方に延びるスイッチ作動ボス３ｃが形成されている。
【００２０】
パネル５内部には図示していないシャーシにプリント基板２とゴム製のメンブレンシート６を重ねて固定している。メンブレンシート６の椀形部６ａの内面にはプリント基板２に形成された対向する２つのランドを導通させる導電膜が貼着されている。椀形部６ａと２つのランドでメンブレンスイッチが構成されている。
【００２１】
椀形部６ａの自然状態は上方に凸形状であり、導電膜は２つのランドから離れメンブレンスイッチはオフとなっている。また、椀形部６ａはプッシュつまみ３のスイッチ作動ボス３ｃを上方に押している。
【００２２】
メンブレンシート６には上方に立ち上がるように、プッシュつまみ３のフランジ３ｂを囲む筒状部６ｂが形成され、筒状部６ｂの上端はパネル５の内面に当接している。筒状部６ｂの上方内面には内側に延びる板状部６ｃが形成されている。板状部６ｃはパネル５の穴５ａの周囲下面に形成されたループ状に延びる凸部５ｂに圧接されている。さらに、上記したようにメンブレンシート６の椀形部６ａで付勢されたプッシュつまみ３のフランジ３ｂはメンブレンシート６の板状部６ｃに圧接されている。
【００２３】
図３に示す状態からプッシュつまみ３の頭部３ａを指で押し下げると、図４に示すように、メンブレンシート６の椀形部６ａが潰されて導電膜は２つのランドを導通させてメンブレンスイッチはオンとなる。そして、プッシュつまみ３のフランジ３ｂはメンブレンシート６の板状部６ｃから離れる。この状態でもメンブレンシート６の筒状部６ｂはパネル５の穴５ａの周囲下面に圧接されているのでプッシュつまみ３とパネル５の穴５ａの間の隙間からごみが機器内部に入り込むことが防止される。
【００２４】
フッシュつまみ３の頭部３ａから指を放すと、プッシュつまみ３はメンブレンシート６の弾力により押し上げられ、プッシュつまみ３は図３に示す位置に戻る。このときプッシュつまみ３はゴム製のメンブレンシート６の板状部６ｃに衝突するが衝突音は発生しない。
【００２５】
この実施例は実施例１と同様の効果を奏するが、さらに、筒状部６ｂは中心部が挟圧されるので曲げモーメントが発生せず、座屈しにくく、強い圧力を加えることができ、パネル５はメンブレンシート６の筒状部６ｂと板状部６ｃとの２か所でシールされるので、ごみ侵入効果が一層高められる。
【図面の簡単な説明】
【００２６】
【図１】この発明の実施例１であるプッシュつまみの取付構造を示す断面図である。
【図２】同プッシュつまみの取付構造の他の状態を示す断面図である。
【図３】この発明の実施例２であるプッシュつまみの取付構造を示す断面図である。
【図４】同プッシュつまみの取付構造の他の状態を示す断面図である。
【図５】従来のプッシュつまみの取付構造の例を示す断面図である。
【図６】同プッシュつまみの取付構造の他の状態を示す断面図である。
【符号の説明】
【００２７】
１  パネル、１ａ  穴
２  プリント基板
３  プッシュつまみ、３ａ  頭部、３ｂ  フランジ、３ｃ  スイッチ作動ボス
４  メンブレンシート、４ａ  椀形部、４ｂ  筒状部、４ｃ  板状部
５  パネル、５ａ  穴、５ｂ  凸部
６  メンブレンシート、６ａ  椀形部、６ｂ  筒状部、６ｃ  板状部
７  メンブレンシート、７ａ  椀形部
【図１】
2009146730.tif 000003
【図２】
2009146730.tif 000004
【図３】
2009146730.tif 000005
【図４】
2009146730.tif 000006
【図５】
2009146730.tif 000007
【図６】
2009146730.tif 000008